(57)【特許請求の範囲】
【請求項１】
コンジット取付体装着用の開口が形成された背面板を有する筐体と、前記背面板の前記開口を閉じるように前記背面板に取り付けたコンジット取付体とを備えた空気調和機の室外機であって、
前記コンジット取付体は、前記背面板の前記開口の周縁に取り付けるための正方形の平板形状の取付フレームと、該取付フレームに対して傾斜したコンジット取付面を備えたコンジット取付部が形成され、該コンジット取付面にコンジットを取り付けるための取付孔が形成され、前記取付フレームを前記室外機に取付可能にしたことを特徴とする空気調和機の室外機。
【請求項２】
請求項１に記載の空気調和機の室外機において、
前記取付フレームには、前記コンジット取付面が同じ方向を向くように前記コンジット取付部が２個以上平行に並んで配置されていることを特徴とする空気調和機の室外機。
【請求項３】
請求項１又は２に記載の空気調和機の室外機において、
前記取付フレームの前記正方形の各辺部の同じ位置が前記背面板にネジで取り付けられることを特徴とする空気調和機の室外機。
【発明の詳細な説明】
【技術分野】
【０００１】
本発明は、室内機に接続される空気調和機の室外機にかかわり、特にコンジットを引き出す構造に関する。
【背景技術】
【０００２】
例えば、空気調和機の室外機に通信ケーブルや電源ケーブルを接続する際に、漏電に対する安全対策として、コンジット（電源用配管）にそれら通信ケーブルや電源ケーブルを収納する場合がある。
【０００３】
このとき、室外機は通常では建築物の外壁を背にして設置されるので、室外機の背面板から後方に向けてコンジットによって通信ケーブルや電源ケーブルを引き出す際には、それらのコンジットを例えば上方向に曲げる場合に、そのコンジットの材質が硬く可撓性が良くない場合、曲率半径を大きくする必要があり、室外機と建築物との間に大きなスペースを必要とする。
【０００４】
また、コンジットは室外機の側面板から引き出してから後方に曲げることも行われているが、この場合も同様に曲率半径を大きくする必要があるところから、室外機と建築物との間に大きなスペースを必要とする。
【０００５】
そこで従来では、例えば特許文献１に記載のように、室外機の側面板にコンジット取付体を取り付けておき、そのコンジット取付体から室外機の後方にコンジットを直線的に引き出すようにしていた。
【先行技術文献】
【特許文献】
【０００６】
【特許文献１】特願２００６−０４６８３０号公報
【発明の概要】
【発明が解決しようとする課題】
【０００７】
しかしながら、特許文献１に記載のように室外機の側面板にコンジット取付体を取り付けると、室外機の正面からそのコンジット取付体が見えるので、外観が悪いという問題があった。
【０００８】
本発明の目的は、室外機の背面板と建築物の壁面との間に大きなスペースが無くてもその背面板からコンジットを引き出すことができるようにして、室外機の正面から見たときの外観が損なわれることがないようにした空気調和機の室外機を提供することである。
【課題を解決するための手段】
【０００９】
上記目的を達成するために、請求項１にかかる発明は、コンジット取付体装着用の開口が形成された背面板を有する筐体と、前記背面板の前記開口を閉じるように前記背面板に取り付けたコンジット取付体とを備えた空気調和機の室外機であって、前記コンジット取付体は、前記背面板の前記開口の周縁に取り付けるための正方形の平板形状の取付フレームと、該取付フレームに対して傾斜したコンジット取付面を備えたコンジット取付部が形成され、該コンジット取付面にコンジットを取り付けるための取付孔が形成され、前記取付フレームを前記室外機に取付可能にしたことを特徴とする。
【００１０】
請求項２にかかる発明は、請求項１に記載の空気調和機の室外機において、
前記取付フレームには、前記コンジット取付面が同じ方向を向くように前記コンジット取付部が２個以上平行に並んで配置されていることを特徴とする。
【００１１】
請求項３にかかる発明は、請求項１又は２に記載の空気調和機の室外機において、前記取付フレームの前記正方形の各辺部の同じ位置が前記背面板にネジで取り付けられることを特徴とする。
【発明の効果】
【００１３】
本発明によれば、コンジット取付体に取り付けられたコンジットは、傾斜したコンジット取付面に直交する方向に引き出されるので、その引出方向は室外機の背面板の斜め方向となる。このため、コンジットを大きく曲げずとも室外機の背面から引き出すことができ、室外機の背面側に大きなスペースが必要ない。それに伴いコンジットを室外機の側面から引き出す必要がなくなり、室外機の外観を損なうことがなくなる。
【図面の簡単な説明】
【００１４】
【図１】本発明の実施例の室外機の正面側の斜視図である。
【図２】本実施例の室外機の背面図である。
【図３】本実施例のコンジット取付体を室外機の背面板に上向きで取り付けた取付斜視図である。
【図４】本実施例のコンジット取付体を室外機の背面板に上向きで取り付けてコンジットを組み込んだ取付斜視図である。
【図５】本実施例のコンジット取付体を室外機の背面板に上向きで取り付けてコンジットを組み込んだ場合の取付部分の断面図である。
【図６】本実施例のコンジット取付体を室外機の背面板に背面からみて斜め左横向きで取り付けた取付斜視図である。
【発明を実施するための形態】
【００１５】
図１、図２に本実施例の室外機１００を示す。２００は室外機１００の筐体である。筐体２００において、２１０は吹出グリル２１１を有する前面板、２２０はメンテナンスのために前面板２１０の右側に設けられた着脱自在なサービスパネル、２３０は右側面板、２４０は背面板、２５０は左側面板、２６０は取付脚２６１が下面に設けられた底面板、２７０は天面板である。背面板２４０には、その下部に、通信ケーブルや電源ケーブルの挿通用の後述するコンジット取付体６００で閉じられる開口２４１（図５参照）が形成されている。通信ケーブルは室外機１００と２台以上の室内機との間の通信用、電源ケーブルは室外機１００への電源供給用である。
【００１６】
３００は右側面板２３０に取り付けられた配管接続ユニットであり、２台以上の室内機に接続する２組以上の配管セットが取り付けられている。４００は配管接続ユニット３００の上面と正面と下面（つまり背面以外）を覆う着脱自在の配管カバーである。５００は筐体２００の背面の背面板２４０以外の部分に取り付けられたフィルタであり、フィルタ押え５１０により保持されている。
【００１７】
コンジット取付体６００は、図２〜図５に示すように、背面板２４０に取り付けるための正方形の平板形状の取付フレーム６１０と、その取付フレーム６１０に一体的に、上側の辺部６１０ａに平行に並び且つ斜め上方向に突出するよう形成された２個のコンジット取付部６２０，６３０とで構成されている。正方形の取付フレーム６１０は、背面板２４０の開口２４１を閉じるように、各辺部６１０ａ，６１０ｂ，６１０ｃ，６１０ｄの同じ位置にある各々の中央が、背面板２４０にネジＢ１，Ｂ２，Ｂ３，Ｂ４によって取り付けられる。
【００１８】
そして、コンジット取付部６２０，６３０は、長手方向の両側面６２１，６３１が三角形となるように形成され、これにより傾斜したコンジット取付面６２２，６３２が同じ斜め上方向を向いている。一方のコンジット取付面６２２には３個の通信ケーブル用のコンジット取付孔６２２ａが形成され、他方のコンジット取付面６３２には両側に通信ケーブル用のコンジットの取付孔６３２ａが形成され、その取付孔６３２ａの間に電源ケーブル用のコンジットの取付孔６３２ｂが形成されている。
【００１９】
図４に、通信ケーブル用の５個のコンジット７００と電源ケーブル用の１個のコンジット８００をコンジット取付体６００に取り付け、そのコンジット取付体６００をネジＢ１〜Ｂ４によって背面板２４０の開口２４１を閉じるように背面板２４０の下部に取り付けた状態を示す。コンジット取付体６００のコンジット取付面６２２，６３２が斜め上方向を向いているので、そのコンジット取付面６２２，６３２に直交する方向に引き出されるコンジット７００，８００は、斜め上方向に引き出される。７１０，８１０はコンジット７００，８００の取付用のスリーブである。
【００２０】
したがって、図５に示すように、建築物の外壁９００を背にして室外機１００を設置した場合、その室外機１００の背面板２４０からコンジット７００を引き出しても、その引出方向が斜め上方向となるので、コンジット７００を大きな曲率半径で若干曲げるだけで、そのコンジット７００を上方向に引き出すことができる。コンジット８００を引き出す場合も同様である。
【００２１】
この結果、従来技術のように室外機１００と建築物の外壁９００との間に大きなスペースを設けなくとも、コンジット７００，８００を室外機１００の後方に無理なく引き出すことができる。また、コンジット７００，８００を室外機１００の側面に取り付ける必要がないので、室外機１００を前面板２１０やサービスパネル２２０の前方から見た場合に、外観が損なわれることはない。
【００２２】
本実施例のコンジット取付体６００は、取付フランジ６１０が平板形状で正方形であり、４個の辺部のそれぞれの中央の同じ位置においてネジＢ１〜Ｂ４で背面板２４０に取り付けられる。このため、コンジット取付面６２２，６３２の向きを、図３及び図４で示した斜め上方向以外に、図６に示すように背面からみて斜め左横方向に向けて取り付けることができる。これにより、コンジット７００，８００を斜め左横方向に引き出すことができる。同様に、コンジット取付面６２２，６３２の向きを、斜め下方向に向けて取り付ければコンジット７００，８００を斜め下方向に引き出すことができ、斜め右横方向に向けて取り付ければコンジット７００，８００を斜め右横方向に引き出すことができる。つまり、取付フレーム６１０をネジＢ１〜Ｂ４によって背面板２４０に取り付ける際に、その取付フレーム６１０を９０度の角度ビッチで向きを切り替えることができるので、４通りの斜め方向の１つを任意に選択してコンジット７００，８００を引き出すことができる。
【００２３】
なお、以上の実施例は、コンジット取付体６００に２個のコンジット取付部６２０，６３０を設けているが、このコンジット取付部は１個でもよく、また３個以上を設けることもできる。ただし、コンジット取付部を３個以上設ける場合は、それらのコンジット取付面が同じ向きとなるように平行に並べる必要がある。また、正方形のコンジット取付フレーム６１０におけるネジＢ１〜Ｂ４の取付位置は、各辺部６１０ａ〜６１０ｄの中央に限られるものではなく、時計回りあるいは反時計回りで各辺部６１０ａ〜６１０ｄをたどるときにそれら各辺部６１０ａ〜６１０ｄの長手方向の同じ位置であればよい。
【符号の説明】
【００２４】
１００：室外機
２００：筐体、２１０：前面板、２１１：吹出グリル、２２０：サービスパネル、２３０：右側面板、２４０：背面板、２４１：開口、２５０：左側面板、２６０：底面板、２６１：取付脚、２７０：天面板
３００：配管接続ユニット
４００：配管カバー
５００：フィルタ、５１０：フィルタ押え
６００：コンジット取付体、６１０：取付フレーム、６１０ａ〜６１０ｄ：辺部、６２０，６３０：コンジット取付部、６２１，６３１：３角形の側面、６２２，６３２：傾斜したコンジット取付面、６２２ａ，６３２ａ，６３２ｂ：コンジットの取付孔、
７００：電源ケーブル用のコンジット、７１０：取付スリーブ
８００：通信ケーブル用のコンジット、８１０：取付スリーブ
Ｂ１〜Ｂ４：ネジ
【図１】
0006516203.tif 000002
【図２】
0006516203.tif 000003
【図３】
0006516203.tif 000004
【図４】
0006516203.tif 000005
【図５】
0006516203.tif 000006
【図６】
0006516203.tif 000007